(57)【要約】【課題】針金等により作動杆を摺動させて行なう不正解錠を防止すると共に、その不正解錠防止機能を使用者が所望に応じて解除することができるゲーム機の施錠装置を提供する。【解決手段】基枠体１の支持板３に、受け金具２５の進入を許容する開口部７が形成され、ロック凹部１５を有するラッチ部材１０が、開口部７内の受け金具２５を拘束するように、開口部７の近傍で回動可能に枢支される。作動杆４のカム部材１８に対応した位置に、施錠状態でカム部材の係合凸部に係合して作動杆の摺動をロックするカムロック部材２０が、切り替え可能に取り付けられる。カムロック部材２０の切り替え操作により、カム部材１８の係合凸部が係合して作動杆４の摺動をロックする状態と、カム部材１８の係合凸部が作動杆４に係合せずに作動杆４の摺動を許容する状態と、が切り替えられる。【選択図】図２
2008109953.tif 000002
【特許請求の範囲】
【請求項１】
断面略Ｌ形に曲折した取付板と支持板とを有する基枠体の該支持板に沿って長尺の作動杆が摺動可能に配設され、該取付板にシリンダ錠が固定され、該シリンダ錠の錠軸にカム部材が該作動杆に係合可能に取り付けられ、該基枠体の取付板がゲーム機の前面枠の内側に取り付けられ、ゲーム機の本体枠の内側に受け金具が取り付けられるゲーム機の施錠装置において、
該基枠体の支持板に該受け金具の進入を許容する開口部が形成され、該開口部内の受け金具を拘束するロック凹部を有するラッチ部材が該開口部の近傍に回動可能に枢支され、該ラッチ部材には係止ピンが移動可能に該支持板側に突出して設けられ、該支持板には該係止ピンが係合するガイド係止孔が設けられ、該作動杆には解錠時に該ラッチ部材の該係止ピンに係合して解錠方向に動かすための作動係合部が設けられ、該ラッチ部材が受け金具に押されてラッチ位置に回動した時、該ラッチ部材の係止ピンが該支持板のガイド係止孔のロック部に係合して該ラッチ部材をラッチ位置に保持し、
該ラッチ部材は、前記係止ピンを移動可能に保持すると共に、該係止ピンを施錠側に付勢し且つラッチ部材自体を解錠側に付勢するためのばね部材を内蔵して構成され、
該作動杆における該カム部材に対応した位置に、施錠状態で該カム部材の係合凸部に係合して該作動杆の摺動を阻止するカムロック部材が切り替え可能に取り付けられ、該カムロック部材の切り替え操作により、該カム部材の係合凸部が係合して該作動杆の摺動を阻止する状態と、該カム部材の係合凸部が該作動杆に係合せずに該作動杆の摺動を許容する状態と、が切り替えられることを特徴とするゲーム機の施錠装置。
【請求項２】
前記カムロック部材は、略Ｓ字状に形成されると共に、中央部が前記作動杆に対し枢軸を介して回動可能に枢支され、該カムロック部材の両端内側が前記カム部材の係合凸部に係合して該作動杆の摺動を阻止することを特徴とする請求項１記載のゲーム機の施錠装置。
【請求項３】
前記カムロック部材は、開口部を有する板状に形成され、該開口部の縁部に前記カム部材の係合凸部に当接して該作動杆の摺動を阻止するカム当接部が内側に曲折して形成され、該カムロック部材は、前記作動杆に対する固定位置をスライドさせて該作動杆の摺動と摺動阻止を切り替えることを特徴とする請求項１記載のゲーム機の施錠装置。
【請求項４】
前記受け金具には金属板の縁部をカール状に曲げてカール状曲げ部が係止部として形成され、該カール状曲げ部が前記開口部に進入し前記ラッチ部材のロック凹部内に拘束されることを特徴とする請求項１記載のゲーム機の施錠装置。
【請求項５】
断面略Ｌ形に曲折した取付板と支持板とを有する基枠体の該支持板に沿って長尺の作動杆が摺動可能に配設され、該支持板の上部と下部に鉤部材が傾動可能に枢支されると共にばね部材によって施錠側に付勢され、該作動杆の摺動により該作動杆と該鉤部材が係合して該鉤部材が解錠側に傾動可能とされ、該取付板にシリンダ錠が固定され、該シリンダ錠の錠軸にカム部材が該作動杆に係合可能に取り付けられたゲーム機の施錠装置において、
該作動杆における該カム部材に対応した位置に、施錠状態で該カム部材の係合凸部に係合して該作動杆の摺動を阻止するカムロック部材が切り替え可能に取り付けられ、該カムロック部材の切り替え操作により、該カム部材の係合凸部が係合して該作動杆の摺動を阻止する状態と、該カム部材の係合凸部が該作動杆に係合せずに該作動杆の摺動を許容する状態と、が切り替えられることを特徴とするゲーム機の施錠装置。                                                                        
【発明の詳細な説明】
【技術分野】
【０００１】
本発明は、パチンコ機、スロットマシンなどのゲーム機の前面枠（前扉）を本体枠（キャビネット）に対し施錠するゲーム機の施錠装置に関する。
【背景技術】
【０００２】
従来、パチンコ機の施錠装置として、一般に、基枠体の内側に作動杆が摺動可能に配設され、基枠体の支持板の上部と下部に鉤部材が、作動杆に連結されて傾動可能に枢支され、基枠体の取付板の中間部に、シリンダ錠がその錠軸を取付板に設けた孔から内側に差し込むように固定され、錠軸の先端に作動杆と係合するカム部材が取り付けられた構成の施錠装置が使用されている。
【０００３】
この種のゲーム機用施錠装置は、構造が強固で、施錠・解錠動作も確実に行うことができるものの、構造上、前面枠の内側に取付けられた施錠装置の鉤部材が前面枠の内側から突出する。このため、前面枠のアッセンブリーを梱包して搬送する場合、その梱包が難しく、突出した鉤部材が搬送中に他の部分に当たって傷つく等の問題があった。
【０００４】
そこで、本発明者らは、従来、前面枠の内側から突出する部分がなく、前面枠を本体枠に対し、円滑且つ確実に施錠・解錠することができるパチンコ機の施錠装置を提案した（下記の特許文献１を参照）。
【特許文献１】特許第３０８７０２４号公報
【０００５】
この施錠装置は、断面Ｌ形に曲折した取付板と支持板とを有する基枠体の内側に長尺の作動杆が摺動可能に配設され、取付板の中間部にシリンダ錠が固定され、シリンダ錠の錠軸にカム部材が作動杆に係合可能に取り付けられ、基枠体の取付板が前面枠の内側に取り付けられ、本体枠の内側に受け金具が取り付けられる施錠装置であり、基枠体の支持板の上部と下部に受け金具の進入を許容する開口部が形成され、開口部内の受け金具を拘束するロック凹部を有するラッチ部材が上部と下部の開口部の近傍に各々回動可能に枢支され、作動杆の上部と下部に係合ピンが取付けられ、上部と下部のラッチ部材が受け金具に押されてラッチ位置に回動した時、作動杆の係合ピンが係合してラッチ位置にロックするための係合部がラッチ部材の一部に形成され、ラッチ部材を解錠側に付勢し作動杆を施錠側に付勢するためのコイルばねがラッチ部材と作動板間に掛けられて構成される。
【発明の開示】
【発明が解決しようとする課題】
【０００６】
ところで、この種の施錠装置は、シリンダ錠のキー操作により作動杆を摺動させて解錠操作を行なうところ、施錠状態において、前面枠の隙間に針金等を不正に差し込み、作動杆に引っ掛けて摺動させた場合、作動杆が解錠方向に動いて不正解錠が行なわれる可能性があった。このため、シリンダ錠による解錠操作時以外の施錠状態において、シリンダ錠の錠軸に固定されたカム部材と作動杆を係合させ、解錠方向への作動杆の摺動を阻止することにより、不正解錠を防止する構造が検討された。
【０００７】
しかしながら、シリンダ錠による解錠操作時以外の施錠状態において、シリンダ錠の錠軸に固定されたカム部材と作動杆を係合させ、解錠方向への作動杆の摺動を阻止する構造とした場合、パチンコホールでの施錠装置の使用範囲が制限されるという問題があった。
【０００８】
つまり、この種の施錠装置を装着したパチンコ機がパチンコホールに搬入されて使用される場合、ホール側で電動式解錠機構を施錠装置に付加することがあり、電動式解錠機構は、一般に、電磁ソレノイドなどの電動駆動機構を作動杆に連結し、作動杆を電気的に摺動させて解錠するように構成されるが、シリンダ錠による解錠操作以外は、カム部材が作動杆の摺動を阻止する状態となるため、このような電動式解錠機構を装着することができなくなる。
【０００９】
このため、シリンダ錠による解錠操作時以外の施錠状態において、シリンダ錠の錠軸に固定されたカム部材と作動杆を係合させ、解錠方向への作動杆の摺動を阻止する不正解錠防止機能を備えると共に、この不正解錠防止機能を使用者の希望に応じて停止することができる構造の施錠装置が要望されていた。
【００１０】
本発明は、上記の点に鑑みてなされたもので、針金等により作動杆を摺動させて行なう不正解錠を防止すると共に、その不正解錠防止機能を使用者が所望に応じて解除することができるゲーム機の施錠装置を提供することを目的とする。
【課題を解決するための手段】
【００１１】
上記目的を達成するために、本発明の請求項１のゲーム機の施錠装置は、断面略Ｌ形に曲折した取付板と支持板とを有する基枠体の該支持板に沿って長尺の作動杆が摺動可能に配設され、該取付板にシリンダ錠が固定され、該シリンダ錠の錠軸にカム部材が該作動杆に係合可能に取り付けられ、該基枠体の取付板がゲーム機の前面枠の内側に取り付けられ、ゲーム機の本体枠の内側に受け金具が取り付けられるゲーム機の施錠装置において、
該基枠体の支持板に該受け金具の進入を許容する開口部が形成され、該開口部内の受け金具を拘束するロック凹部を有するラッチ部材が該開口部の近傍に回動可能に枢支され、該ラッチ部材には係止ピンが移動可能に該支持板側に突出して設けられ、該支持板には該係止ピンが係合するガイド係止孔が設けられ、該作動杆には解錠時に該ラッチ部材の該係止ピンに係合して解錠方向に動かすための作動係合部が設けられ、該ラッチ部材が受け金具に押されてラッチ位置に回動した時、該ラッチ部材の係止ピンが該支持板のガイド係止孔のロック部に係合して該ラッチ部材がラッチ位置に保持され、
該ラッチ部材は、前記係止ピンを移動可能に保持すると共に、該係止ピンを施錠側に付勢し且つラッチ部材自体を解錠側に付勢するためのばね部材を内蔵して構成され、
該作動杆における該カム部材に対応した位置に、施錠状態で該カム部材の係合凸部に係合して該作動杆の摺動を阻止するカムロック部材が切り替え可能に取り付けられ、該カムロック部材の切り替え操作により、該カム部材の係合凸部が係合して該作動杆の摺動を阻止する状態と、該カム部材の係合凸部が該作動杆に係合せずに該作動杆の摺動を許容する状態と、が切り替えられることを特徴とする。
【００１２】
ここで、上記カムロック部材は、略Ｓ字状に形成されると共に、中央部が上記作動杆に対し枢軸を介して回動可能に枢支され、該カムロック部材の両端内側が上記カム部材の係合凸部に係合して該作動杆の摺動を阻止するように構成することができる。
【００１３】
また、上記カムロック部材は、開口部を有する板状に形成され、該開口部の縁部に前記カム部材の係合凸部に当接して該作動杆の摺動を阻止するカム当接部が内側に曲折して形成され、該カムロック部材は、前記作動杆に対する固定位置をスライドさせて該作動杆の摺動と摺動阻止を切り替えるように構成することができる。
【００１４】
また、上記受け金具の係止部には、金属板の縁部をカール状に曲げてカール状曲げ部が形成され、施錠時、該カール状曲げ部が開口部に進入しラッチ部材のロック凹部内に拘束されるように構成することができる。
【発明の効果】
【００１５】
上記構成の施錠装置は、前面枠を本体枠に対し閉じると、受け金具が支持板の開口部からラッチ部材のロック凹部内に進入し、受け金具がラッチ部材を押し込むようにしてラッチ部材が回動し、ラッチ部材のロック凹部内に受け金具が拘束された状態となる。この時、ラッチ部材の係止ピンが支持板側のガイド係止孔のロック部に進入して係止されるため、ラッチ部材がそのラッチ位置に保持され、受け金具はラッチ部材のロック凹部内にロックされ施錠状態となる。
【００１６】
一方、このような施錠状態において、カムロック部材が不正解錠防止機能を生じる位置に設定切替されている場合、作動杆はその解錠方向への移動をカム部材により阻止されるため、前面枠の隙間から針金等の不正器具を差し込んで不正解錠を行なおうとしても、作動杆は移動せず、不正解錠を防止することができる。他方、例えば本施錠装置に電動式解錠機構を装着し、電気的に作動杆を移動させて解錠するような場合、カムロック部材を摺動許容側に切り替え、カム部材の係合凸部が作動杆に係合せずに作動杆の摺動を許容する状態にする。これにより、電動機構により作動杆を解錠方向に解錠操作を行なう電動式解錠機構の使用などを可能とすることができる。
【００１７】
また、受け金具に、金属板の縁部をカール状に曲げてカール状曲げ部を形成し、施錠時、このカール状曲げ部をラッチ部材のロック凹部内に進入させて拘束されるように構成すれば、カール状曲げ部の取付部に対する角度を調整することができ、これにより、受け金具に軸ピンを使用した場合に比べ、カール状曲げ部の角度を容易に調整して、ロック凹部との嵌め合いの調整を簡単に行うことができる。さらに、受け金具は、金属板のみの裁断加工、曲げ加工によって、より少ない工程で製造することができ、施錠時には、カール状曲げ部を円滑にロック凹部内に進入させ、ロックすることができる。
【発明を実施するための最良の形態】
【００１８】
以下、本発明の実施の形態を図面に基づいて説明する。図１はパチンコ機の施錠装置の正面図を示し、図２はその左側面図を、図３はその右側面図を、図４はその背面図を示している。この施錠装置は、パチンコ機の本体枠２３に対し前面枠２２を上下のラッチ部材１０，１０により施錠し、前面枠２２に対しガラス枠２４を上下のガラス枠鉤部材１６，１６により施錠する施錠装置である。施錠装置の基本構造は、フレームとなる縦長の基枠体１を有し、基枠体１には断面略Ｌ形に曲折された取付板２と支持板３が設けられ、取付板２には複数の取付孔が穿設され、この取付板２を介して前面枠２２の自由端の内側に縦に取り付けられる。
【００１９】
取付板２の右側縁部は、小幅をもって背面側に直角に曲折され、基枠体１の強度を確保している。支持板３の上部と下部には、ガラス枠鉤部材用のガラス枠鉤取付部５ａ，５ｂが、その一部を内側に凹状に曲げて形成される。ガラス枠鉤取付部５ａ，５ｂの外側に、ガラス枠鉤部材１６，１６が傾動可能に、枢軸１６ａ、１６ａによって枢支される。さらに、ガラス枠鉤取付部５ａ，５ｂは背面側に突出し、突出部分が外側（正面視で左側）に曲折して他の部品の取付座部５ｃ、５ｄを形成している。
【００２０】
図５に示すように、支持板３におけるガラス枠鉤取付部５ａ，５ｂの下側に、背面側から矩形に切り欠くように、開口部７，７が形成され、この開口部７，７に、後述の受け金具２５，２６のカール状曲げ部２５ｂ、２６ｂが進入可能である。更に、図５に示すように、開口部７，７の少し下方に、ラッチ部材１０の係止ピン１４をガイドし且つ係止するガイド係止孔８，８が支持板３に形成される。
【００２１】
このガイド係止孔８，８は円弧状の部分とそれに続く作動杆4に平行なロック溝８ａ，８ａとからなり、ラッチ部材１０の係止ピン１４がガイド孔１２ａを移動してロック溝８ａ，８ａに進入したとき、ラッチ部材１０，１０は受け金具を拘束しロックされる。その上下の開口部７，７の近傍に、開口部７，７に進入した受け金具２５，２６のカール状曲げ部２５ｂ、２６ｂを拘束するラッチ部材１０，１０が、軸ピン６，６により回動可能に軸支される。
【００２２】
さらに、ガイド係止孔８，８の少し上の支持板３に、図５のように、支持凸部１９、１９が内側つまりラッチ部材１０，１０側に突出して設けられる。この支持凸部１９は、図５に示すように、ラッチ部材１０の円弧状の係合孔１２ｂに進入し、ばね部材１３の一端がそこに当接する。これにより、ラッチ部材１０は、図１４のように、施錠方向に回動力を受けたとき、ばね部材１３は、ラッチ部材１０を図１４の時計方向つまり解錠方向に付勢する。
【００２３】
ラッチ部材１０には、受け金具２５，２６のカール状曲げ部２５ｂ、２６ｂを受け入れて拘束するU字溝状のロック凹部１５が形成される。ラッチ部材１０内には、図７、図８に示すようにラッチ部材１０をラッチ状態に係止するための係止ピン１４と付勢用のばね部材１３が内蔵されている。ラッチ部材１０は、図７，８のように、ラッチ本体１１とそれを覆うカバー板１２とを有して形成され、ラッチ本体１１内には空間が形成され、その内部空間にばね部材１３と係止ピン１４が収納される。ラッチ本体１１は、ポリアミド樹脂などのプラスチックを用いて成形することができ、カバー板１２は、金属板を用いて形成される。
【００２４】
係止ピン１４は、ラッチ部材１０を図１４のようにラッチ位置に回動させたとき、その位置で係止させてロックさせるもので、カバー板１２に形成されたガイド孔１２ａから支持板側に突き出すように配設され、ばね部材１３により常に外側に付勢されている。
【００２５】
ばね部材１３は、図７、図８のように捻り形状を有する捻りばねであり、ばね部材の一端で係止ピン１４を付勢し、その他端で支持板３の内側に突設した支持凸部１９を付勢するように掛止され、中央の円環部をラッチ部材１０の軸ピン６に外嵌させて装着される。ラッチ部材１０のカバー板１２に形成された円弧状の係合孔１２ｂには、上記支持凸部１９が進入して係合され、ラッチ部材１０内のばね部材１３の他端がその支持凸部１９に係合している。つまり、このばね部材１３の他端がその支持凸部１９に係合することにより、ラッチ部材１０は相対的に解錠側（図１４の時計方向）にばね力を受けて付勢される。
【００２６】
図７、図８のように、ラッチ部材１０は、内部にばね部材１３や係止ピン１４を内蔵してユニット化されている。つまり、ラッチ本体１１内に係止ピン１４、ばね部材１３を組み込み、カバー板１２を被せて固定し、施錠装置の組立工程の前に予め製造しておく。これにより、施錠装置の製造ラインでは、このラッチ部材１０を軸ピン６で軸支するだけでよく、組付け作業が簡単となる。
【００２７】
ガラス枠２４を施錠するガラス枠鉤部材１６は、図９に示すように、先端に鉤部を有すると共に、基部に設けた枢軸用の挿入孔の周囲に、円形凹部を形成し、その円形凹部内にトーションばね１６ｂを収納して構成される。一対のガラス枠鉤部材１６，１６は、支持板３の上部と下部に凹状に形成されたガラス枠鉤取付部５ａ，５ｂの外側に、枢軸１６ａ、１６ａをその基部の挿入孔に挿通することによって、水平位置から上方に傾動（回動）可能に、枢支される。
【００２８】
図９に示すように、ガラス枠鉤部材１６の基部に開口部が形成され、その開口部からトーションばね１６ｂの端部が外側に突出し、トーションばね１６ｂの一端が作動杆４の係止部４ｂに係止される。一方、トーションばね１６ｂの他端がガラス枠鉤部材１６に係止されることにより、ガラス枠鉤部材１６は、施錠方向（図２の時計方向）に付勢され、略水平の施錠位置で、その一部が支持板３の係止部３ａに当接して停止する。
【００２９】
さらに、ガラス枠鉤部材１６の末端部に係合凸部１６ｃが設けられる。この係合凸部１６ｃは作動杆４の下降時にガラス枠鉤部材１６が解錠方向（図２の反時計方向）に回動（傾動）するように、ガラス枠鉤部材１６には、その下降時に係合可能な作動係合部４ｃが作動杆４の係合凸部１６ｃに係合してガラス枠鉤部材１６を解錠させる構造となっている。
【００３０】
ラッチ部材１０とガラス枠鉤部材１６，１６の解錠用に、縦長で帯状の作動杆４が、基枠体１の支持板３の外側に沿って摺動可能に配設される。図５に示すように、作動杆４には長手方向に沿って４個のガイド孔４ｅが形成され、各ガイド孔４ｅにガイドピン４ｄが挿通され、ガイドピン４ｄの先端は支持板３の外側に固定され、これにより、作動杆４は所定の範囲内で上下摺動可能である。
【００３１】
作動杆４は、カム部材１８の回動により、上昇したとき、ラッチ部材１０を解錠動作させ、下降したとき、ガラス枠鉤部材１６，１６を解錠動作させるように構成される。このため、作動杆４には、図５に示すように、その上部と下部に作動係合部４ａ，４ａが支持板３側で且つラッチ部材１０側に向けて突設され、上記ラッチ部材１０の係止ピン１４が配置されるガイド係止孔８のロック溝８ａ内に進入しており、解錠時には上昇し、その作動係合部４ａ，４ａの先端で係止ピン１４を押して、ラッチを解除する構造である。
【００３２】
また、作動杆４にはその下寄りのカム部材１８と対向した位置に、２個の係合部４ｆ、４ｇが上下に形成される。上の係合部４ｆは、カム部材１８が図４の時計方向に回動したとき、その第２係合凸部１８ｂが係合して作動杆４を下方に摺動させる係合部分である。また、下の係合部４ｇは、カム部材１８が図４の反時計方向に回動したとき、その第１係合凸部１８ａが係合して作動杆４を上方に摺動させる係合部分である。
【００３３】
これにより、シリンダ錠９に挿入したキーを右に回したとき、その錠軸に固定したカム部材１８が図４の反時計方向に回動し、カム部材１８の第１係合凸部１８ａが係合部４ｇに係合し、作動杆４が上方に摺動する。また、シリンダ錠９に挿入したキーを左に回したとき、その錠軸に固定したカム部材１８が図４の時計方向に回動し、カム部材１８の第２係合凸部１８ｂが係合部４ｆに係合し、作動杆４が下方に摺動する。
【００３４】
さらに、図５に示すように、作動杆４の係合部４ｇと４ｆの中間部内側に、略Ｓ字型のカムロック部材２０が、その中央部を枢軸２０ｃにより僅かな角度範囲で回動可能（切り替え可能）に取り付けられている。このカムロック部材２０は、図１０に示すように、略Ｓ字型に形成され、その上部と下部の内側端部に、カム当接部２０ａ，２０ｂが内側に曲げる形態で形成され、その中央には枢軸用の孔が穿設されている。
【００３５】
このカムロック部材２０の中央の孔に、枢軸２０ｃが挿通され、図１１のように、作動杆４のカム部材１８に対応した位置に、枢軸２０ｃにより回動切り替え可能に取り付けられる。枢軸２０ｃには例えば固定ねじが使用され、固定ねじの枢軸２０ｃを締め付けることにより、図１１（ａ）または（ｂ）に示すようにロックとアンロックを切り替えて固定される。このカムロック部材２０は、作動杆４の上下摺動をカム部材１８に対し係合して、施錠状態で作動杆４の摺動を阻止するために、作動杆４の外側に取り付けられる。
【００３６】
略Ｓ字型に形成されたカムロック部材２０には、その上部と下部の端部に縁部を内側に曲折して、カム当接部２０ａと２０ｂが内側に突出して設けられる。上側のカム当接部２０ｂは、カム部材１８の第２係合凸部１８ｂに当接可能に設けられ、下側のカム当接部２０ａは、カム部材１８の第１係合凸部１８ａに当接可能に設けられる。図１１（ａ）のように、カムロック部材２０を時計方向に回して作動杆４の長手方向に沿わせた状態としたとき、カムロック部材２０のカム当接部２０ａと２０ｂがカム部材１８の第１係合凸部１８ａと第２係合凸部１８ｂを上下から拘束するように当接し、作動杆４の上下動をロックするように動作する。
【００３７】
一方、図１１（ｂ）のように、カムロック部材２０を図の反時計方向に僅かに回すと、カムロック部材２０のカム当接部２０ａと２０ｂがカム部材１８の第１係合凸部１８ａと第２係合凸部１８ｂの上下位置から外れ、作動杆４の上下動のロックは解除される。
【００３８】
このように、カムロック部材２０は、図１１（ａ）と図１１（ｂ）の位置に回動することにより、作動杆４のロックとアンロック、つまり摺動許容と摺動阻止が切り替えられる。カムロック部材２０を枢支する枢軸２０ｃの回動に操作荷重を設定し、カムロック部材２０を図１１（ａ）または（ｂ）の位置に切り替えた際、その状態を保持可能とすることができるが、枢軸２０ｃに固定ねじを使用し、切り替える際には枢軸の固定ねじを緩めて、カムロック部材２０を図１１（ａ）または（ｂ）の位置に切り替えた後、固定ねじを固定することもできる。
【００３９】
また、カムロック部材２０の上下のカム当接部２０ａと２０ｂは、内側に曲折され、作動杆４と支持板３に設けた開口部内に進入するように取り付けられている。このため、カム部材８は、その第１・第２係合凸部１８ａ，１８ｂの先端を当該開口部に位置させるようにセットすれば、カムロック部材２０のカム当接部２０ａと２０ｂを第１・第２係合凸部１８ａ，１８ｂに当接させて作動杆４の摺動を阻止することができる。これにより、第１・第２係合凸部１８ａ，１８ｂを作動杆４と支持板３に設けた開口部から外側に突き出すようにカム部材１８をセットする必要がない。したがって、シリンダ錠９を交換する際、カム部材１８を錠軸から外すことなく、カム部材付きのシリンダ錠９を容易に基枠体１から外して交換することができる。
【００４０】
基枠体１の取付板２の下寄りに大径の孔が形成され、その孔に内側から挿入する形態でシリンダ錠９が装着される。シリンダ錠９はフランジを有しそのフランジを取付板２にねじ止めして固定される。シリンダ錠９の錠軸は基枠体１の内側に突出し、その先端にカム部材１８が固定される。カム部材１８には第１係合凸部１８ａと第２係合凸部１８ｂが形成され、その第１係合凸部１８ａは、シリンダ錠９の鍵の右回転に応じて上記作動杆４の係合部４ｇと係合し、第２係合凸部１８ｂはその左回転に応じて作動杆４の係合部４ｆに係合する。
【００４１】
また、このカム部材１８の第１係合凸部１８ａと第２係合凸部１８ｂは、施錠状態で、作動杆４の係合部４ｆ，４ｇの孔内に常時進入しているが、図１１（ｂ）のように、カムロック部材２０が第１係合凸部１８ａと第２係合凸部１８ｂに係合しない摺動許容状態では、施錠状態において作動杆４は上下摺動が可能とされる。一方、図１１（ａ）のように、カムロック部材２０が第１係合凸部１８ａと第２係合凸部１８ｂに係合する摺動阻止状態では、施錠状態において作動杆４は上下摺動が阻止される。
【００４２】
このため、解錠時のカム部材１８の回動によってのみ、作動杆４は解錠方向に移動し、針金などの不正器具を前面枠の隙間から差し込まれ、その先端を作動杆４に引っ掛けて、作動杆４を解錠方向に移動させようとしても、作動杆４の移動は阻止され、不正解錠は不可能となっている。さらに、支持板３の下寄りで、カムロック部材２０の少し上方に、支持ローラ１７が軸支される。この支持ローラ１７は、前面枠２２を閉じる際、本体枠２３の内側に固定された下側の受け金具２６（図１３）に設けた滑り板２６ｃ上を転動し、基枠体１を取り付けた前面枠２２を持ち上げながら閉じるように作用する。
【００４３】
上記構成の施錠装置は、図１５、図１６に示すように、パチンコ機の前面枠２２の内側に取付板２を介して固定され、本体枠２３内の対向位置に受け金具２５，２６が取り付けられる。一方、前面枠２２の前面側にガラス枠２４が開閉可能に取り付けられ、その自由端側の内側に、施錠装置の上下のガラス枠鉤部材１６，１６が係止可能な係止部２４ａ，２４ａが設けられている。
【００４４】
本体枠２３内の上部に固定される受け金具２５は、図１２に示すように、板状の固定部から係止部２５ａが直角に曲折して形成され、その係止部２５ａの上部と下部に、カール状曲げ部２５ｂが係止部２５ａの縁部をカール状（円筒状）に曲げて形成されている。このカール状曲げ部２５ｂを含む係止部２５ａは、上記支持板３に設けた開口部７及びラッチ部材１０のロック凹部１５内に進入可能である。
【００４５】
一方、下部の受け金具２６は、図１３に示すように、縦長に形成され、上部に、基枠体１の下部に軸支した支持ローラ１７が乗り上げるための、滑り板２６ｃが取り付けられる。また、受け金具２６の下部には、係止部２６ａが直角に曲折して形成され、その係止部２６ａの上部と下部に、カール状曲げ部２６ｂが係止部２６ａの縁部をカール状（円筒状）に曲げて形成されている。なお、受け金具２５、２６の係止部２５ａ，２６ａにおいて、上下にカール状曲げ部２５ｂ、２６ｂが形成されることにより、ラッチ部材１０のロック凹部１５が上向きであっても、或いは下向きであっても、使用可能としている。
【００４６】
前面枠２２を閉じた際、カール状曲げ部２６ｂを含む係止部２６ａは、支持板３の下部の開口部７及びラッチ部材１０のロック凹部１５に進入可能となっている。特に、下側の受け金具２６は、その上部に滑り板２６ｃが設けられ、その下部に係止部２６ａとカール状曲げ部２６ｂを設けることにより、前面枠２２を閉じたとき、受け金具２６が施錠装置側の支持ローラ１７と下側のラッチ部材１０との間に挟まれるように進入し、係止部２６ａのカール状曲げ部２６ｂがラッチ部材１０のロック凹部１５に円滑に嵌入し、施錠されるようにしている。
【００４７】
使用時、前面枠２２を本体枠２３に対し閉じると、上下の受け金具２５，２６のカール状曲げ部２５ｂ、２６ｂは、図１８、図１９に示すように、上部と下部の開口部７，７からラッチ部材１０，１０のロック凹部１５，１５内に進入する。このとき、図１８、図１９に示すように、カール状曲げ部２５ｂ、２６ｂがラッチ部材１０，１０を押し込むようにして、ラッチ部材１０，１０が図の反時計方向に回動し、そのロック凹部１５が開口部７の奥に入る位置までラッチ部材１０，１０が回動すると、ラッチ部材１０内の係止ピン１４がばね部材１３の付勢力によりガイド孔１２ａ内で移動し、これによって、係止ピン１４がガイド係止孔８のロック部８ａに進入する。
【００４８】
このとき、ラッチ部材１０，１０の回動がロックされ、図１４に示すように、ラッチ部材１０，１０のロック凹部１５、１５内に受け金具２５，２６のカール状曲げ部２５ｂ、２６ｂが拘束され、ラッチ部材１０，１０がそのラッチ位置に保持され、施錠状態となる。そして、このとき、カムロック部材２０が図１１（ａ）のように、カム部材１８の第１係合凸部１８ａと第２係合凸部１８ｂに係合可能にセットされている場合、前面枠２２の隙間から針金等の不正器具を差し込んで作動杆４を動かそうとしても、作動杆４に取り付けられたカムロック部材２０が第１係合凸部１８ａと第２係合凸部１８ｂに係合することにより、作動杆４の移動が相対的に阻止され、これにより、不正解錠は防止される。また、ラッチ部材１０においては、作動杆４の作動係合部４ａが、支持板３のガイド係止孔８のロック部８ａ内に嵌入しているため、針金などを差し込み、その先端を作動係合部４ａに引っ掛けようとしても不可能であり、針金などによる不正解錠を防止することができる。
【００４９】
一方、前面枠２２を解錠する場合、シリンダ錠９に挿入した鍵を右に回すと、カム部材１８が図４の反時計方向に回動し、そこに係合する作動杆４が上に移動し、それにより、上部と下部の作動係合部４ａ（支持板３のガイド係止孔８のロック部８ａに嵌入している）が同様に移動し、そのロック部８ａ内の係止ピン１４を図１４の左側に押すように作用する。これにより、係止ピン１４はロック部８ａからガイド係止孔８へと移動することにより、ラッチ部材１０，１０のラッチ位置でのロックが外れる。このとき、ラッチ部材１０，１０はばね部材１３の付勢力により図１４の時計方向に回動し、拘束されていた受け金具２５，２６のカール状曲げ部２５ｂ、２６ｂがラッチ部材１０，１０のロック凹部１５、１５から外れ、解錠状態となる。
【００５０】
一方、ガラス枠２４を解錠する場合、シリンダ錠９に差し込んだ鍵を左に回すと、カム部材１８が図４の時計方向に回動し、その第２係合凸部１８ｂが作動杆４の係合部４ｆに係合し、作動杆４が下側に摺動する。これにより、作動杆４の作動係合部４ｃ、４ｃが上下のガラス枠鉤部材１６，１６の係合部１６ｃ、１６ｃに係合し、これによって、上下のガラス枠鉤部材１６，１６が上側に傾動し、ガラス枠２４の係止部２４ａ，２４ａとガラス枠鉤部材１６，１６との係止が解除され、ガラス枠２４は解錠される。
【００５１】
このように、基枠体１の支持板３の上部と下部に開口部７、７を形成し、開口部７、７の近傍にラッチ部材１０，１０を回動可能に枢支し、開口部７内に進入した受け金具２５，２６の係止部のカール状曲げ部２５ｂ、２６ｂを、ラッチ部材１０，１０のロック凹部１５，１５内に保持しロックするように構成したから、施錠は、前面枠２２を本体枠２３に対し閉じるのみで、ラッチ部材１０，１０を回動させて、円滑に施錠することができる。また、カール状曲げ部２５ｂ、２６ｂとロック凹部１５，１５の嵌め合いの調整は、カール状曲げ部２５ｂ、２６ｂの取付部に対する角度（図１２ｃ、図１３ｃにおけるカール状曲げ部２５ｂ、２６ｂの左右方向の曲げ角度）を調整することにより、容易に行なうことができる。
【００５２】
また、施錠状態において、カムロック部材２０が不正解錠防止機能を生じる位置に設定されている場合、作動杆４はその解錠方向への移動をカム部材１８によりロックされるため、前面枠２２の隙間から針金等の不正器具を差し込んで不正解錠を行なおうとしても、作動杆４は移動せず、不正解錠を防止することができる。
【００５３】
一方、本施錠装置に電動式解錠機構を装着し、電気的に作動杆４を移動させて解錠する場合など、カム部材１８による作動杆４のロックを解除する場合には、図１７に示すように、カムロック部材２０を回動操作して、カム部材１８の第１・第２係合凸部１８ａ，１８ｂが作動杆４に係合せずに作動杆４の摺動を許容する状態に切替える。これにより、電動機構により作動杆４を解錠方向に解錠操作を行なう電動式解錠機構の使用を可能とすることができる。
【００５４】
図２０は他の実施形態のカムロック部材３０を示し、図２１はその使用状態の部分左側面図を示している。このカムロック部材３０は、図２０のように、上部と下部に矩形の開口部を有した板状に形成され、開口部の上縁部と下縁部に、カム当接部３０ａ，３０ｂが内側に曲折して形成される。また、カムロック部材３０の中央部にねじ孔３０ｃが形成され、作動杆４の内側からねじ込まれる固定ねじにより、このカムロック部材３０は、作動杆４の所定位置（カム部材１８の対向位置）に、その位置をスライド切り替え可能に固定される。また、カムロック部材３０の上縁部と下縁部に、波形凹部３０ｄが設けられ、作動杆４側の定位置に突設した球状凸部をその波形凹部３０ｄに嵌合させることにより、カムロック部材３０の摺動許容位置と摺動阻止位置の位置決めを行なうようにしている。
【００５５】
このカムロック部材３０は、図２１に示すように、作動杆４の外側面におけるカム部材１８の対向位置に、固定ねじにより位置を切り替え可能に固定される。作動杆４の所定位置に長孔が形成され、固定ねじを作動杆４の内側からその長孔に挿通させ、カムロック部材３０のねじ孔３０ｃに固定ねじの先端をねじ込み、カムロック部材３０の位置を図２１（ａ）と図２１（ｂ）の間でスライドさせ、摺動許容位置と摺動阻止位置を切り替え可能に締付固定される。
【００５６】
そして、図２１（ａ）に示すように、カムロック部材３０を正面側にシフト（スライド）して作動杆４に固定した場合、カムロック部材３０のカム当接部３０ａ，３０ｂがカム部材１８の第１・第２係合凸部１８ａ，１８ｂに当接して作動杆４の摺動を阻止する状態となる。一方、図２１（ｂ）に示すように、カムロック部材３０を背面側にシフト（スライド）して作動杆４に固定した場合、カムロック部材３０のカム当接部３０ａ，３０ｂはカム部材１８の第１・第２係合凸部１８ａ，１８ｂの位置から外れた状態となり、作動杆４の摺動が許容される状態となる。このように、カムロック部材３０の作動杆４に対する固定位置を、スライドにより切り替えることにより、作動杆４の摺動と摺動阻止を切り替えることができる。
【００５７】
なお、上記実施形態は、前面枠２２をラッチ部材１０により施錠する場合を説明したが、本発明はラッチ部材を用いた施錠装置に限定されることはなく、傾動可能なフック状の鉤部材により前面枠の受け金具を係止して施錠する施錠装置にも適用することもできる。すなわち、この施錠装置は、断面略Ｌ形に曲折した取付板と支持板とを有する基枠体の支持板に沿って長尺の作動杆が摺動可能に配設され、支持板の上部と下部に鉤部材が傾動可能に枢支されると共にばね部材によって施錠側に付勢され、作動杆の摺動により作動杆と鉤部材が係合して鉤部材が解錠側に傾動可能とされ、取付板の一部にシリンダ錠が固定され、シリンダ錠の錠軸にカム部材が作動杆に係合可能に取り付けられる。さらに、この施錠装置は、作動杆におけるカム部材に対応した位置に、施錠状態でカム部材の係合凸部に係合して作動杆の摺動を阻止するカムロック部材が切り替え可能に取り付けられ、カムロック部材の回動または摺動操作により、カム部材の係合凸部が係合して作動杆の摺動を阻止する状態と、カム部材の係合凸部が作動杆に係合せずに作動杆の摺動を許容する状態と、が切り替えられる。
【図面の簡単な説明】
【００５８】
【図１】本発明の一実施例を示す施錠装置の正面図である。
【図２】同装置の左側面図である。
【図３】同装置の右側面図である。
【図４】同装置の背面図である。
【図５】同装置の分解右側面図である。
【図６】同装置の分解背面図である。
【図７】ラッチ部材１０の分解斜視図である。
【図８】ラッチ部材１０の背面図である。
【図９】ガラス枠鉤部材の右側面図（ａ）と正面図（ｂ）である。
【図１０】カムロック部材の左側面図（ａ）、正面図（ｂ）、及び平面図（ｃ）である。
【図１１】カムロック部材の切り替え状態を示す部分左側面図であり、（ａ）はカムロック部材をロック状態とした状態、（ｂ）はカムロック部材をアンロック状態とした状態である。
【図１２】受け金具２５の正面図（ａ）、同右側面図（ｂ）、同平面図（ｃ）である。
【図１３】受け金具２６の正面図（ａ）、同右側面図（ｂ）、同平面図（ｃ）である。
【図１４】ラッチ部材１０の施錠時の動作を示す説明図である。
【図１５】施錠装置の使用状態を示す解錠時の右側面図である。
【図１６】施錠装置の使用状態を示す施錠時の右側面図である。
【図１７】カムロック部材をロック解除状態とし、作動杆を下降させた状態の要部拡大図（ａ）と作動杆を上昇させた状態の要部拡大図（ｂ）である。
【図１８】上部のラッチ部材１０の施錠時の動作を示す説明図である。
【図１９】下部のラッチ部材１０の施錠時の動作を示す説明図である。
【図２０】他の実施形態のカムロック部材の左側面図（ａ）、同正面図（ｂ）、同平面図（ｃ）である。
【図２１】同カムロック部材をロック状態に切り替え状態の部分左側面図（ａ）、同カムロック部材をアンロック状態に切り替えた状態の部分左側面図（ｂ）である。
【符号の説明】
【００５９】
１      基枠体
２      取付板
３      支持板
４      作動杆
４ａ    作動係合部
４ｂ    係止部
４ｃ    作動係合部
４ｆ    係合部
４ｇ    係合部
６      軸ピン
７      開口部
８      ガイド係止孔
８ａ    ロック溝
９      シリンダ錠
１０    ラッチ部材
１１    ラッチ本体
１２    カバー板
１４    係止ピン
１５    ロック凹部
１６    ガラス枠鉤部材
１６ａ  枢軸
１６ｃ  係合凸部
１７    支持ローラ
１８    カム部材
１８ａ  第１係合凸部
１８ｂ  第２係合凸部
１９    支持凸部
２０    カムロック部材
２０ａ  カム当接部
２０ｂ  カム当接部
２０ｃ  枢軸
２２    前面枠
２３    本体枠
２４    ガラス枠                                                                        
【図１】
2008109953.tif 000003
【図２】
2008109953.tif 000004
【図３】
2008109953.tif 000005
【図４】
2008109953.tif 000006
【図５】
2008109953.tif 000007
【図６】
2008109953.tif 000008
【図７】
2008109953.tif 000009
【図８】
2008109953.tif 000010
【図９】
2008109953.tif 000011
【図１０】
2008109953.tif 000012
【図１１】
2008109953.tif 000013
【図１２】
2008109953.tif 000014
【図１３】
2008109953.tif 000015
【図１４】
2008109953.tif 000016
【図１５】
2008109953.tif 000017
【図１６】
2008109953.tif 000018
【図１７】
2008109953.tif 000019
【図１８】
2008109953.tif 000020
【図１９】
2008109953.tif 000021
【図２０】
2008109953.tif 000022
【図２１】
2008109953.tif 000023